(57)【要約】【課題】傾倒しにくい容器本体部材を備えた紙製容器を提供する。【解決手段】紙製容器４は、ボウル形状の容器本体部材４０の開口縁部４１の直下に配置された円筒状部材からなる壁状部材６０を備え、さらに壁状部材６０を被覆するように、かつ容器本体部材４０が内嵌する円筒状部材からなるカバー部材７０を備えており、容器本体部材４０の開口縁部４１が、カバー部材７０に形成された上側内カール部７１と、壁状部材６０に形成された下側内カール部６１とで挟持された状態となる。【選択図】図６
0003232617.tif 000002
【実用新案登録請求の範囲】
【請求項１】
開口縁部を有する紙製の容器本体部材を備え、当該容器本体部材における内部空間側を内向きとして前記開口縁部は外向きに突出している紙製容器であって、
所定位置に載置された前記容器本体部材が傾倒することを防止する傾倒防止手段をさらに備え、
前記傾倒防止手段は、
前記容器本体部材の前記開口縁部の直下に配置された、当該容器本体部材とは別部材である紙製の壁状部材である
ことを特徴とする紙製容器。
【請求項２】
前記容器本体部材とは別部材であり、前記容器本体部材が載置される載置面部を具備する紙製載置部材を備え、
前記壁状部材は、
前記載置面部を囲繞し、かつ、前記載置面部から立ち上がる状態で前記紙製載置部材に取り付けられてなる
請求項１に記載の紙製容器。
【請求項３】
前記壁状部材は、前記容器本体部材が内嵌される円筒状部材で構成されてなり、当該壁状部材の上端部には、内カール加工された内カール部が形成されており、
前記容器本体部材が前記壁状部材に内嵌された状態で、前記開口縁部の下面に前記内カール部が当接してなる
請求項１に記載の紙製容器。
【請求項４】
前記壁状部材は、下方に向かって拡開するテーパー形状の円筒状部材で構成されてなる請求項３に記載の紙製容器。
【請求項５】
前記容器本体部材が前記壁状部材に内嵌して前記開口縁部の下面に前記内カール部が当接しており、
加えて、前記容器本体部材が内嵌される円筒状部材で構成され、下方に向かって拡開するテーパー形状を有し、上端部に内カール加工された内カール部が形成されてなるカバー部材をさらに備え、
前記容器本体部材が前記カバー部材に内嵌した状態で、前記開口縁部の上面に前記カバー部材における内カール部が当接し、前記壁状部材が前記カバー部材によって被覆されてなる
請求項４に記載の紙製容器。
【請求項６】
前記カバー部材が前記壁状部材を被覆した状態で、前記壁状部材における前記カバー部材に被覆されている部位には、前記壁状部材の内外方向に貫通する孔部が設けられており、かつ、前記カバー部材における前記壁状部材を被覆している部位には、前記カバー部材を基端部として前記カバー部材における周方向に沿って延設された舌片部が設けられており、前記壁状部材に対して前記カバー部材が相対的に前記周方向に回動することで前記舌片部の少なくとも先端部が前記周方向に沿って前記孔部に挿入されてなる
請求項５に記載の紙製容器。
【請求項７】
前記容器本体部材の開口縁部は、上に凸のアール形状とされて湾曲しており、前記開口縁部の下面に内カール部が面接触している
請求項３乃至請求項６のいずれか１項に記載の紙製容器。
【考案の詳細な説明】
【技術分野】
【０００１】
本考案は、いわゆる紙皿や紙ボウル等を備える紙製容器に関する。
【背景技術】
【０００２】
従来、例えば特許文献１に開示されているような、板紙ブランクから成形される紙製の皿やボウル等の使い捨て食器容器が知られている。このような紙製の容器は低コストで大量生産できるとともに、使い捨てであるためアウトドア・レジャー等で多く用いられている。また、近年、プラスチックごみを低減するために、紙製容器の需要が増えている。
【先行技術文献】
【特許文献】
【０００３】
【特許文献１】特開２０１５−６９２５号公報
【考案の概要】
【考案が解決しようとする課題】
【０００４】
しかしながら、従来の紙製容器は非常に軽いため、屋外で使用した際に風で飛ばされてしまったり、箸やスプーン等を容器の開口縁部に仮置きした際に容易に倒れてしまって内容物が飛散してしまったりするという問題があった。
【０００５】
本考案は、例えば皿状やボウル状の容器本体部材における使用時の安定性が向上する紙製容器を提供することを目的とする。
【課題を解決するための手段】
【０００６】
本考案は、開口縁部を有する紙製の容器本体部材を備え、当該容器本体部材における内部空間側を内向きとして前記開口縁部は外向きに突出している紙製容器であって、所定位置に載置された前記容器本体部材が傾倒することを防止する傾倒防止手段をさらに備え、前記傾倒防止手段は、前記容器本体部材の前記開口縁部の直下に配置された、当該容器本体部材とは別部材である紙製の壁状部材であることを特徴とする紙製容器である。
【０００７】
ここで、容器本体部材としては、いわゆる紙皿や紙ボウル等のような容器であって、開口縁部がフランジ状に外向きに突出したものが選択されうる。
【０００８】
かかる構成にあっては、容器本体部材の開口縁部を下から巻き上げるような風を前記壁状部材が遮断する機能を果たすため、容器本体部材が風で飛ばされることを防止することができる。また、容器本体部材における開口縁部の直下に壁状部材が位置しているため、載置されている容器本体部材が傾倒してしまうことも防止できる。すなわち、従来、例えばテーブル上に載った容器本体部材がバランスを崩すと、開口縁部の直下に下支えするものがないため、倒れて内容物が飛散してしまうが、本考案にあっては、壁状部材の上端部が開口縁部を下支えして、過剰に容器本体部材が傾倒してしまうことを防止する。なお、紙皿や紙ボウルのように、開口縁部が外向きに突出した形状の容器は、視認性に優れた側面部を十分に確保しにくい構造であるが、本考案のように壁状部材を備えていると、当該壁状部材の外周面に装飾を施して美粧性をもたせることが可能となる。また、紙製容器は、手間をかけずに容易に廃棄することができ、衛生面においても利点がある。
【０００９】
ここで、前記容器本体部材とは別部材であり、前記容器本体部材が載置される載置面部を具備する紙製載置部材を備え、前記壁状部材は、前記載置面部を囲繞し、かつ、前記載置面部から立ち上がる状態で前記紙製載置部材に取り付けられてなる構成が提案される。
【００１０】
かかる構成とすることにより、容器本体部材を安定して前記紙製載置部材に載置することができる。なお、紙製載置部材としては、例えば紙製のトレー等のような部材が提案される。
【００１１】
また、前記壁状部材は、前記容器本体部材が内嵌される円筒状部材で構成されてなり、当該壁状部材の上端部には、内カール加工された内カール部が形成されており、前記容器本体部材が前記壁状部材に内嵌された状態で、前記開口縁部の下面に前記内カール部が当接してなる構成が提案される。
【００１２】
かかる構成にあっては、開口縁部と壁状部材の内カール部とが当接して当該壁状部材が開口縁部を下支えすることになるため、容器本体部材が傾倒してしまうことを防止することができる。なお、かかる構成にあっても、容器本体部材の開口縁部を下から巻き上げるような風を壁状部材が遮断するため、容器本体部材が風で飛ばされることを防止することができる。また、壁状部材の外周面に装飾を施して美粧性をもたせることができる利点もある。また、かかる紙製容器は、手間をかけずに容易に廃棄することができる利点もある。また、内カール部が形成されていることで壁状部材の剛性が高められているところ、この壁状部材と容器本体部材とが一体化されることで、全体として紙製容器の剛性がより一層向上することとなり、製品として質感や高級感が向上する利点がある。
【００１３】
さらに、前記壁状部材は、下方に向かって拡開するテーパー形状の円筒状部材からなる構成が提案される。
【００１４】
かかる構成とすることにより、紙製容器として上下方向に積み重ねが可能となり、省スペース化を図ることができる。
【００１５】
また、前記容器本体部材が前記壁状部材に内嵌して前記開口縁部の下面に前記内カール部が当接しており、加えて、前記容器本体部材が内嵌される円筒状部材で構成され、下方に向かって拡開するテーパー形状を有し、上端部に内カール加工された内カール部が形成されてなるカバー部材をさらに備え、前記容器本体部材が前記カバー部材に内嵌した状態で、前記開口縁部の上面に前記カバー部材における内カール部が当接し、前記壁状部材が前記カバー部材によって被覆されてなる構成が提案される。
【００１６】
かかる構成とすることにより、前記壁状部材の内カール部と、前記カバー部材の内カール部とで、前記容器本体部材の開口縁部が上下方向に挟持されることとなる。したがって、容器本体部材が壁状部材から脱離しにくくなり、使用時の安定性がより一層向上する利点がある。また、全体として紙製容器が少なくとも３つの部材で構成されることとなり、剛性および質感や高級感が増す利点もある。
【００１７】
さらに、前記カバー部材が前記壁状部材を被覆した状態で、前記壁状部材における前記カバー部材に被覆されている部位には、前記壁状部材の内外方向に貫通する孔部が設けられており、かつ、前記カバー部材における前記壁状部材を被覆している部位には、前記カバー部材を基端部として前記カバー部材における周方向に沿って延設された舌片部が設けられており、前記壁状部材に対して前記カバー部材が相対的に前記周方向に回動することで前記舌片部の少なくとも先端部が前記周方向に沿って前記孔部に挿入されてなる構成が提案される。
【００１８】
かかる構成とすることにより、極めて簡易な構成で、前記カバー部材を前記壁状部材に脱着自在に固定することが可能となる。
【００１９】
また、前記容器本体部材の開口縁部は、上に凸のアール形状とされて湾曲しており、前記開口縁部の下面に内カール部が面接触している構成が提案される。
【００２０】
かかる構成とすることにより、容器本体部材が壁状部材に対してがたつきなく固定されやすくなる。
【考案の効果】
【００２１】
本考案にかかる紙製容器は、例えば皿状やボウル状の容器本体部材における使用時の安定性が向上する効果がある。
【図面の簡単な説明】
【００２２】
【図１】（ａ）は実施例１にかかる紙製容器の使用状態を示す説明図であり、（ｂ）は（ａ）のＡ部分を示す部分拡大縦断面図である。
【図２】（ａ）は実施例２にかかる紙製容器の斜視図であり、（ｂ）は容器本体部材の斜視図であり、（ｃ）は壁状部材の斜視図である。
【図３】実施例２にかかる紙製容器の部分拡大縦断面図である。
【図４】実施例３にかかる紙製容器の部分拡大縦断面図である。
【図５】実施例３にかかる紙製容器にあって、積み重ね状態を示す概要図である。
【図６】実施例４にかかる紙製容器の部分拡大縦断面図である。
【図７】実施例４にかかる紙製容器の壁状部材とカバー部材との固定状態を示す説明図である。
【考案を実施するための形態】
【００２３】
以下に本考案を具体化した実施例を詳細に説明する。なお、本考案は、下記に示す実施例に限定されることはなく、適宜、設計変更が可能である。また、本考案の理解を容易とするために、図中における紙製容器における素材の厚みや内カール部の寸法等は強調して記載してあり、実際に使用される場合と異なることがある。
【００２４】
〔実施例１〕
紙製容器１は、図１（ａ）に示すように、紙製でいわゆるボウル形状の容器本体部材１０と、容器本体部材１０が載置される紙製載置部材としてのトレー２０とを備えている。
【００２５】
ここで、容器本体部材１０の上端に形成される開口縁部１１は、当該容器本体部材１０の内部空間を基準として外側に突出したフランジ形状とされている。
【００２６】
一方、トレー２０は、中央に水平状の載置面部２１を備えるとともに、載置面部２１を囲繞するように当該載置面部２１の外縁から立ち上がる環状の壁状部材２２を備えている。
【００２７】
また、壁状部材２２の上端部には、いわゆる内カール加工された内カール部２３が形成されている。なお、かかる壁状部材２２により、本考案にかかる傾倒防止手段が構成されている。
【００２８】
その他にも、トレー２０の載置面部２１には、コップ載置用筒部材３０が取り付けられており、コップ３１を一時的にがたつきなく載置することが可能となっている。また、壁状部材２２の上端部において、部分的に凹状に切り欠かれた箸置き用切り欠き部３５が形成されており、この箸置き用切り欠き部３５の凹形状を利用して箸３７あるいはその他のカトラリーを安定して載置することが可能となっている。
【００２９】
また、トレー２０の載置面部２１には、上下方向に開口した孔部からなる指通し孔部３９が形成されており、例えば指通し孔部３９に親指を通してトレー２０を片手で保持することが可能となっている。なお、上述のように壁状部材２２には内カール部２３が形成されているため、全体として剛性が向上しており、トレー２０の歪みが抑制されているため、使用感に優れている。
【００３０】
次に、紙製容器１の使用状態について説明する。
図１（ｂ）に示すように、容器本体部材１０が、トレー２０の載置面部２１に載置された状態では、容器本体部材１０の開口縁部１１の直下に壁状部材２２が配置された状態となる。したがって、仮に容器本体部材１０に外部から力が作用して傾いた場合にも、開口縁部１１が壁状部材２２の上端部に当接することで過剰に傾倒してしまう、ことが防止される。特に近年は、自身の口に食べ物を運ぶための箸３７と、共用皿（図示省略）から自身の皿まで食べ物を運ぶ箸３７とを使い分けるマナーが定着しており、容器本体部材１０の開口縁部１１にも箸３７を置いたままとする状況が多いため、とりわけ容器本体部材１０の傾倒を防止する意義は極めて大きい。また、壁状部材２２が、容器本体部材１０の開口縁部１１を巻き上げるような風を遮断するため、容器本体部材１０が風で吹き飛ばされにくくなる利点がある。
【００３１】
なお、紙製容器１にあっては、コップ載置用筒部材３０の外径と、壁状部材２２の内径とを適正に定めることで、所定寸法の容器本体部材１０が載置されたときに当該容器本体部材１０がトレー２０内で左右にがたつきにくい構成とすることができる。また、壁状部材２２の外周面には、適宜、装飾してデザイン性を高めてもよい。
【００３２】
〔実施例２〕
紙製容器２は、図２（ａ）に示すように、紙製でいわゆるボウル形状の容器本体部材４０と、この容器本体部材４０が内嵌した、紙製で円筒形状の壁状部材５０と、を備えている。
【００３３】
さらに詳述すると、図２（ｂ）に示すように、上述の容器本体部材４０の外周縁には、外向きに突出したフランジ状の開口縁部４１が形成されており、特に当該開口縁部４１は、上に凸のアール形状とされて湾曲している。
【００３４】
一方、図２（ｃ）に示すように、壁状部材５０には、容器本体部材４０が上から差し入れられて内嵌可能な寸法形状となっており、上端部には、内カール加工された下側内カール部５１が形成されている。
【００３５】
そして、図３に示すように、容器本体部材４０が壁状部材５０に対して上から差し入れられて内嵌された状態で、容器本体部材４０の開口縁部４１の下面に下側内カール部５１の上端部が当接し、この当接部位が接着剤層（図示省略）を介して接着されることで容器本体部材４０と壁状部材５０とが一体化している。
【００３６】
かかる紙製容器２は、容器本体部材４０の開口縁部４１を下から壁状部材５０が支持することで容器本体部材４０の傾倒を防止することができる。また、下側内カール部５１の曲面と、開口縁部４１の曲面とが好適に面接触するため、容器本体部材４０のがたつきが抑制されている。また、容器本体部材４０の下部に風が当たって開口縁部４１を下から巻き上げることがないため、容器本体部材４０が簡単に風で吹き飛ばされてしまうことを防止することもできる。さらに、壁状部材５０の側周面に意匠を施して美粧性を向上させることもでき、全体として質感や高級感が向上する。なお、容器本体部材４０と壁状部材５０とは、接着剤を用いて接着してもよいし、他の接合手段により接合してもよいし、場合によっては単に相互を嵌め込んだだけで組み付けても構わない。
【００３７】
〔実施例３〕
紙製容器３は、図４に示すように、上記した実施例２の壁状部材５０に代えて、下方に向かって拡開するテーパー状に形成された壁状部材６０を用いている。壁状部材６０の上端部には、内カール加工された内カール部である下側内カール部６１が形成されている。
【００３８】
かかる紙製容器３にあっては、図５の概要図に示すように、紙製容器３を上下方向に積み重ねることができ、省スペース化を図りつつ大量の紙製容器３を安定して保管することが可能となる。
【００３９】
〔実施例４〕
紙製容器４は、図６に示すように、上記した実施例３の紙製容器３に、更に円筒状部材のカバー部材７０を上から被せて、カバー部材７０にも容器本体部材４０が内嵌した構造となっている。
【００４０】
さらに詳述すると、カバー部材７０は、壁状部材６０と同様に、円筒形状で下方に向かって拡開するテーパー状となっており、さらに、カバー部材７０の上端部には内カール加工された上側内カール部７１が形成されている。
【００４１】
そして、カバー部材７０も容器本体部材４０に取り付けられた状態では、壁状部材６０の下側内カール部６１と、カバー部材７０の上側内カール部７１とで、容器本体部材４０の開口縁部４１が上下方向で挟持されることとなる。したがって、容器本体部材４０が壁状部材６０から脱離しにくくなり、使用時の安定性がより一層向上する利点がある。また、上側内カール部７１が紙製容器４の上端に配されることにより、巻締部分による美観が向上したり、持ちやすさが向上したりする。
【００４２】
なお、図７に示すように、壁状部材６０において、カバー部材７０が取り付けられた際にカバー部材７０と重なる被覆部位には、当該壁状部材６０の内外方向に貫通する孔部８１が設けられている。
【００４３】
一方、カバー部材７０において、壁状部材６０の孔部８１に対応する部位には、当該カバー部材７０を基端部として当該カバー部材７０における周方向に沿って延設された舌片部８５が設けられている。そして、この舌片部８５の上下寸法と孔部８１の上下寸法とが等しくされている。かかる構成とすることにより、容器本体部材４０が壁状部材６０から脱離しにくい構造となる。
【００４４】
ここで、壁状部材６０に対してカバー部材７０が相対的に周方向に回動することで、舌片部８５の先端部から一部が周方向に沿って孔部８１に挿入されて、カバー部材７０が壁状部材６０に固定される。
【００４５】
上記した実施例１〜４において、各部の寸法形状は適宜自由に選択可能である。また、各実施例を相互に組み合わせることも可能である。
【００４６】
また、壁状部材２２、壁状部材５０，６０、及びカバー部材７０は、載置面部２１や開口縁部４１の全周にわたって連続して形成されている必要はなく、断続的に形成されていても構わない。また、壁状部材６０やカバー部材７０におけるテーパー形状の形態は、下方に向かって縮径するテーパー形状であっても構わない。また、紙製容器２〜４は、バスケット（カゴ）風の容器として化粧箱のような高級感が生じるため、菓子容器や小物入れとして再利用可能である。また、身・フタカブセ式や落とし蓋式などの蓋付き構造とすることにより、そのまま化粧箱やギフト箱とすることもできる。特に落とし蓋式の場合には、内側に天パットを保持するコーナーを設けてもよい。また、紙製容器２〜４の外観形状は適宜変更可能であり、いわゆる楕円型、四角型、あるいは多角形型でもよい。
【符号の説明】
【００４７】
１，２，３，４    紙製容器
１０，４０        容器本体部材
１１，４１        開口縁部
２０              トレー（紙製載置部材）
２１              載置面部
２２，５０，６０  壁状部材
２３              内カール部
３０              コップ載置用筒部材
３１              コップ
３５              箸置き用切り欠き部
３７              箸
３９              指通し孔部
５１，６１        下側内カール部
７０              カバー部材
７１              上側内カール部
８１              孔部
８５              舌片部
【図１】
0003232617.tif 000003
【図２】
0003232617.tif 000004
【図３】
0003232617.tif 000005
【図４】
0003232617.tif 000006
【図５】
0003232617.tif 000007
【図６】
0003232617.tif 000008
【図７】
0003232617.tif 000009